(57)【要約】【課題】  簡単な操作で、安定した条件の下に、一定の速度及び角度でテープ剥離か可能なクロスカット試験用テープ剥離装置を提供する。【解決手段】  空洞を有する支柱、ロープの係止部を有するアーム、摺動機構を有するベースプレート、前記支柱内に重り、１つの定滑車と２つの動滑車と２本のロープからなる複合滑車を備え、前記支柱の上部に定滑車を位置し、前記アーム内に一端を係止された第一のロープはもう一端を前記定滑車を介して支柱内の前記重りに係止され、アーム先端部に係止された第二のロープはもう一端を第一のロープ上を移動する第一の動滑車に係止され、第二のロープ上を移動する第二の動滑車にテープ係止部を有するクロスカット試験用テープ剥離装置。【選択図】図１
2019053021.tif 000002
【特許請求の範囲】
【請求項１】
空洞を有する支柱、ロープの係止部を有するアーム、摺動機構を有するベースプレート、前記支柱内に５００ｇ以上１０００ｇ以下の重り、１つの定滑車と２つの動滑車と２本のロープからなる複合滑車を備え、前記支柱の上部に定滑車を位置し、前記アーム内に一端を係止された第一のロープはもう一端を前記定滑車を介して支柱内の前記重りに係止され、アーム先端部に係止された第二のロープはもう一端を第一のロープ上を移動する第一の動滑車に係止され、第二のロープ上を移動する第二の動滑車にテープ係止部を有するクロスカット試験用テープ剥離装置。
【発明の詳細な説明】
【技術分野】
【０００１】  本発明は、基材上に設けられた塗膜の付着耐性を評価するため、塗膜に貼り付けたテープを剥離するクロスカット試験用テープ剥離装置に関する。
【背景技術】
【０００２】  基材上に設けられた被膜の付着性の評価手法としては、ＪＩＳ「Ｋ−５４００」などに代表される種々の試験方法がある。ＪＩＳ「Ｋ−５４００」の方法によれば、試験片上の塗膜に対して、鋭利な刃物を貫通して基材（素地）に到達するまでの切り込みが形成される。そして、塗膜の切れ目における傷の広がりの大小から、塗膜のもろさや基材への付着性の良否が判定される。また、必要があれば、以上のようにして形成された塗膜の傷に対し、ＪＩＳ「Ｚ−１５５２」で規定された手法によってセロハンテープ剥離試験が施され、付着の良否が数値化される。【０００３】  従来のテープ剥離方法は手で剥がす方法が一般的である。装置を使って剥がす方法としては、モーターと滑車を使って剥がす方法が提案されている（例えば、特許文献１参照）。
【先行技術文献】
【特許文献】
【０００４】
【特許文献１】特開２００６−１９４５９９号公報
【発明の概要】
【発明が解決しようとする課題】
【０００５】  クロスカット試験において、セロハンテープを剥がす速度は速いほど塗装を剥がす力が強くなり、剥がす速度が遅いほど弱くなるという傾向がある。また、テープの角度が鈍角なほど塗装を剥がす力が強く、鋭角なほど弱くなる傾向がある。従って、試験の精度を保つためには、セロハンテープを剥がす際の速度と角度を一定に保つ方法が求められていた。従来の塗装に貼り付けたセロハンテープの端部を手で摘んで剥がす方法は作業者によって剥がす速度及び角度が一定せず、評価結果の安定性及び信頼性という点で課題があった。また、一般的な剥離試験機や特許文献１のモーターと定滑車を使う方法では、安定して速い剥離速度を得ることが困難であった。
【課題を解決するための手段】
【０００６】  本発明の上記課題は以下の発明により解決された。
空洞を有する支柱、ロープの係止部を有するアーム、摺動機構を有するベースプレート、前記支柱内に５００ｇ以上１０００ｇ以下の重り、１つの定滑車と２つの動滑車と２本のロープからなる複合滑車を備え、前記支柱の上部に定滑車を位置し、前記アーム内に一端を係止された第一のロープはもう一端を前記定滑車を介して支柱内の前記重りに係止され、アーム先端部に係止された第二のロープはもう一端を第一のロープ上を移動する第一の動滑車に係止され、第二のロープ上を移動する第二の動滑車にテープ係止部を有するクロスカット試験用テープ剥離装置である。
【発明の効果】
【０００７】  本発明のクロスカット用剥離装置は簡単な操作で、一定の角度、一定の条件の下に、手で素早く剥がした場合と同等の結果が得られる速度で、セロハンテープ剥離を行うことが可能なクロスカット試験用テープ剥離装置を提供する。
【図面の簡単な説明】
【０００８】
【図１】図１は本発明のクロスカット試験用テープ剥離装置の剥離前の状態を示す側面図である。
【図２】図２は図１に示したクロスカット試験用テープ剥離装置の剥離前の状態を示す斜視図である。
【図３】図３は図１に示したスロスカット試験用テープ剥離装置の剥離後の状態を示す側面図である。
【発明を実施するための形態】
【０００９】  以下、本発明の実施の形態について図面を参照して説明する。
【００１０】  図１は本発明のクロスカット試験用テープ剥離装置の一例を示し、テープ剥離前の状態を示す側面図である。図２、図３はそれぞれ図１のクロスカット試験用テープ剥離装置の剥離前の状態を示す斜視図、剥離後の状態を示す側面図である。図１から図３において、クロスカット試験用テープ剥離装置は、空洞を有する支柱１０、ロープの係止部２２、２３を有するアーム２０、アリ機構で摺動する摺動ステージ３１を有するベースプレート３０、支柱１０内に質量５００ｇ〜質量１０００ｇの重り４０、定滑車５１と動滑車５２、５３及び２本のロープ６１、６２からなる複合滑車を備え、支柱１０の上部に定滑車５１を位置し、係止部２２に一端を係止されたロープ６１はもう一端を定滑車５１に懸けて垂らした先に重り４０に係止され、係止部２３に係止されたロープ６２はもう一端を第一のロープ６１上を移動する動滑車５２下部に係止され、ロープ６２上を移動する動滑車５３にテープ係止部７０を備える。支柱１０の底部に重りの衝撃を吸収するバネ、衝撃吸収ゴム、ダンパー等を備えるとより好ましい。
【００１１】  図１及び図２は剥離前の状態を示し、に３箇所にクロスカットされた試験検体１００をテープ係止部に近い方の摺動ステージ３１の端部から１０ｍｍから３０ｍｍ以内になるように両面テープで摺動ステージ３１貼り付け、セロハンテープ剥離試験を行うクロスカット部が中央に来るように摺動ステージ３１を調整し、試験検体１００よりも長めのセロハンテープを試験部位に貼り付けた後に残りの部分がセロハンテープが直角になるようにテープ係止部７０貼り付けた状態である。
【００１２】  図１及び図２の状態から、係止ピン８０を引き抜くと重り４０が落下し、テープ係止部７０が約９０°の角度を保ったまま支柱１０方向の斜め上に引き上げられ、約０．１秒で約５０ｍｍ剥がれた状態を図３に示した。セロハンテープの角度が９０°保ちながら剥がれる速度としては４００ｍｍ／ｓ〜６００ｍｍ／ｓが好ましい。重り４０の好ましい質量は、６５０ｇ〜８００ｇである。重り４０の落下高さは２００ｍｍ〜３００ｍｍが好ましく、より好ましくは２３０ｍｍ〜２６０ｍｍである。支柱１０に係止ピン８０の係合孔を複数開けておき、試験の目的に応じて落下高さを変えても良い。
【符号の説明】
【００１３】      １０              支柱
２０              アーム
２１、２２、２３  係止部
３０              ベース
３１              摺動ステージ
４０              重り
５１、５２、５３  滑車
６１、６２        ロープ
７０              テープ係止部
８０              係止ピン
１００            被試験検体
１１０            セロハンテープ
１２０            切り込み線
【図１】
2019053021.tif 000003
【図２】
2019053021.tif 000004
【図３】
2019053021.tif 000005